(57)【要約】【課題】リード線Ｒ、Ｌ、Ｆ、Ｎの装着の煩雑さと装着間違いを防ぐことができる心電図誘導ケーブルを提供する。【解決手段】標準１２誘導の心電図を測定するために、いずれも基端がコネクタ２に電気的に接続され、先端に端子が取り付けられたリード線であって、右手に装着するリード線Ｒ、右足に装着するリード線Ｎ、左手に装着するリード線Ｌ及び左足に装着するリード線Ｆを少なくとも備えるケーブル１において、リード線Ｒ及びリード線Ｌはリード線Ｎ及びリード線Ｆよりも短く、リード線Ｒとリード線Ｎ、リード線Ｌとリード線Ｆとが各々束ねられていることを特徴とする。【選択図】図１
0003184307.tif 000002
【実用新案登録請求の範囲】
【請求項１】
標準１２誘導の心電図を測定するために、いずれも基端がコネクタに電気的に接続され、先端に端子が取り付けられたリード線であって、右手に装着するリード線Ｒ、右足に装着するリード線Ｎ、左手に装着するリード線Ｌ及び左足に装着するリード線Ｆを少なくとも備えるケーブルにおいて、
リード線Ｒ及びリード線Ｌはリード線Ｎ及びリード線Ｆよりも短く、リード線Ｒとリード線Ｎ、リード線Ｌとリード線Ｆとが各々束ねられていることを特徴とする心電図誘導ケーブル。
【請求項２】
前記リード線Ｒ、Ｎ、Ｌ、Ｆは、中継部を介して前記コネクタに電気的に接続され、中継部より前記リード線Ｒの端子付近に至る長さに相当する位置まではリード線Ｒとリード線Ｎとが互いの絶縁を保持しつつ２本纏めてケーブル化され、中継部より前記リード線Ｌの端子付近に至る長さに相当する位置まではリード線Ｌとリード線Ｆとが互いの絶縁を保持しつつ２本纏めてケーブル化されることにより、各々束ねられている請求項１に記載の心電図誘導ケーブル。
【請求項３】
前記リード線Ｒは、その全長に亘ってリード線Ｎに伴われ、リード線Ｌは、その全長に亘ってリード線Ｆに伴われている請求項１に記載の心電図誘導ケーブル。
【考案の詳細な説明】
【技術分野】
【０００１】
この考案は、生体に装着された電極が検出する生体信号を、心電計に送る心電図誘導ケーブルに関する。
【背景技術】
【０００２】
従来の標準１２誘導心電図波形測定用の誘導ケーブルは合計１０本の信号線を有し、図４に示すように、各信号線は心電計に接続されるコネクタから中継部に至るまで多芯ケーブル内を延び、中継部からは四肢誘導の生体観測部位に装着する４本のリード線Ｒ、Ｌ、Ｆ、Ｎと、胸部誘導の生体観測部位に装着する６本のリード線Ｃ１〜Ｃ６とに分岐する。
このうちリード線Ｃ１〜Ｃ６の装着の煩雑さを解消するために近年、リード線Ｃ１〜Ｃ６の２〜３本ずつを所定の組み合わせで束ねる手段を有する誘導ケーブルが提案されている（特許文献１）。
【先行技術文献】
【特許文献】
【０００３】
【特許文献１】実用新案登録第３０８１５３９号
【考案の概要】
【考案が解決しようとする課題】
【０００４】
しかしながら、従来の標準１２誘導心電図波形測定用の誘導ケーブルは、四肢誘導と胸部誘導合わせて１０本の独立したリード線が混在し、大変絡みやすく装着作業が煩雑であった。また、四肢誘導用の４本のリード線Ｒ、Ｌ、Ｆ、Ｎは、各々の装着部位である右手・左手・左足・右足にＲ、Ｌ、Ｆ、Ｎの順序で取り付けられるところ、四肢誘導用のリード線は胸部誘導用のリード線と比べて全長が長いため、特に絡みやすいうえに、装着間違いが発生することもあった。
それ故、この考案の課題は、リード線Ｒ、Ｌ、Ｆ、Ｎの装着の煩雑さと装着間違いを防ぐことができる心電図誘導ケーブルを提供することにある。
【課題を解決するための手段】
【０００５】
その課題を解決するために、この考案の心電図誘導ケーブルは、
標準１２誘導の心電図を測定するために、いずれも基端がコネクタに電気的に接続され、先端に端子が取り付けられたリード線であって、右手に装着するリード線Ｒ、右足に装着するリード線Ｎ、左手に装着するリード線Ｌ及び左足に装着するリード線Ｆを少なくとも備えるケーブルにおいて、
リード線Ｒ及びリード線Ｌはリード線Ｎ及びリード線Ｆよりも短く、リード線Ｒとリード線Ｎ、リード線Ｌとリード線Ｆとが各々束ねられていることを特徴とする。
【０００６】
この考案の心電図誘導ケーブルによれば、リード線Ｒ及びリード線Ｌはリード線Ｎ及びリード線Ｆよりも短いので、手に装着するリード線Ｒ・Ｌと足に装着するリード線Ｎ・Ｆとを一目で見分けることができる。また、リード線Ｒとリード線Ｎ、リード線Ｌとリード線Ｆとが各々束ねられているので、四肢誘導用の４本のリード線をあたかも左右１本ずつ合計２本のリード線のように扱うことができる。束ねる手段は、纏めてケーブル化する、バンドで結ぶ等であってよい。
【０００７】
前記リード線Ｒ、Ｎ、Ｌ、Ｆは好ましくは、中継部を介して前記コネクタに電気的に接続され、中継部より前記リード線Ｒの端子付近に至る長さに相当する位置まではリード線Ｒとリード線Ｎとが互いの絶縁を保持しつつ２本纏めてケーブル化され、中継部より前記リード線Ｌの端子付近に至る長さに相当する位置まではリード線Ｌとリード線Ｆとが互いの絶縁を保持しつつ２本纏めてケーブル化されることにより、各々束ねられている。このように束ねる左右２本ずつを纏めてケーブル化することにより、リード線Ｒ及びリード線Ｌのそれぞれ単独で自由にされている部分が端子付近のみとなり、他のリード線と絡みにくくなる。
【０００８】
前記リード線Ｒは、その全長に亘ってリード線Ｎに伴われ、リード線Ｌは、その全長に亘ってリード線Ｆに伴われるように束ねられていると、好ましい。これにより四肢誘導用の４本のリード線を外観的にも左右１本ずつ合計２本のリード線のようにみなすことができ、扱いやすいからである。
【考案の効果】
【０００９】
以上のように、この考案の心電図誘導ケーブルは、手に装着するリード線Ｒ・Ｌと足に装着するリード線Ｎ・Ｆとを一目で見分けることができるので、手と足との装着間違いを防ぐことができる。また、四肢誘導用の４本のリード線をあたかも左右１本ずつ合計２本のリード線のように扱うことができるので、絡むことがないばかりか、リード線Ｒ及びリード線Ｌを装着すれば、リード線Ｎ及びリード線Ｆが必然的にそれぞれ右側及び左側に位置することとなり、左右の装着間違いを防止することができる。
【図面の簡単な説明】
【００１０】
【図１】この考案の実施形態の心電図誘導ケーブルを示す平面図である。。
【図２】（ａ）は図１におけるＡＡ断面図、（ｂ）は図１におけるＢＢ断面図である。
【図３】図１に示した誘導ケーブルを生体観測部位に装着した状態を示す平面図である。
【図４】従来の心電図誘導ケーブルを生体観測部位に装着した状態を示す平面図である。
【考案を実施するための形態】
【００１１】
以下、この考案の実施形態を図面とともに説明する。
心電図誘導ケーブル１は、図略の心電計に接続されるコネクタ２と、コネクタ２から延びる多芯ケーブル部３と、多芯ケーブル部３における端部に取り付けられた中継部４と、中継部４より分岐して延びる３本の末端ケーブル部５、６、７とを備える。多芯ケーブル部３は、コネクタ２に接続された１０本のリード線（図示省略）を内包するように樹脂皮膜にて覆ったものである。末端ケーブル部５は、胸部誘導用のリード線Ｃ１〜Ｃ６を内包するように樹脂皮膜にて覆ったもので、リード線Ｃ１〜Ｃ６の各々が中継部４にて前記１０本のリード線のうち対応するリード線と接続している。
【００１２】
末端ケーブル部６は、右手に装着するリード線Ｒ及び右足に装着するリード線Ｎを内包するように樹脂皮膜にて覆ったもので、リード線Ｒ、Ｎの各々が中継部４にて前記１０本のリード線のうち対応するリード線と接続している。リード線Ｒの長さはリード線Ｎの長さの二分の一程度であって、各リード線Ｒ（Ｎ）の先端には端子が取り付けられている。従って、図２（ａ）に示すように中継部４からリード線Ｒの端子に至るまではリード線Ｒとリード線Ｎとがシールド線Ｓにて互いの絶縁を保持しつつ２本纏めて樹脂皮膜にて覆われている。そして、図２（ｂ）に示すようにリード線Ｒの端子を過ぎてリード線Ｎの端子に至るまではリード線Ｎが単独で樹脂皮膜にて覆われている。末端ケーブル部６と末端ケーブル部７とは、対称構造をなしているので、末端ケーブル部７についての説明は省略する。
【００１３】
心電図誘導ケーブル１によれば、リード線Ｒ及びリード線Ｌはリード線Ｎ及びリード線Ｆの二分の一程度の長さなので、手に装着するリード線Ｒ・Ｌと足に装着するリード線Ｎ・Ｆとを一目で見分けることができる。また、リード線Ｒとリード線Ｎ、リード線Ｌとリード線Ｆとが各々ケーブル化され、しかもリード線Ｒ、Ｌはそれらの全長に亘ってリード線Ｎ、Ｆに伴われているので、図３に示すように四肢誘導用の４本のリード線を外観的にも実質的にもあたかも左右１本ずつ合計２本のリード線のように扱うことができる。その結果、リード線同士で絡むことがほとんどないばかりか、装着間違いを防止することもできる。
【符号の説明】
【００１４】
１  心電図誘導ケーブル
２  コネクタ
３  多芯ケーブル部
４  中継部
５、６、７  末端ケーブル部
【図１】
0003184307.tif 000003
【図２】
0003184307.tif 000004
【図３】
0003184307.tif 000005
【図４】
0003184307.tif 000006